(57)【要約】【課題】  光ディスク装置における動作音の低減。特に対物レンズアクチュエータのヨークの振動に起因する動作音を低減することを課題とする。【解決手段】  ヨーク部を折れ曲がりのある板バネなどで少なくとも２方向の自由度がある状態でアクチュエータホルダに保持し、アクチュエータホルダはヘッドケースに拘束接続する。あるいは、ヨーク部をコイルバネなどで、少なくとも２方向の自由度がある状態でヘッドケースに保持し、一方、アクチュエータホルダはヘッドケースに拘束接続する。これらにより、ヨークの振動をヘッドケースに伝わりにくくし、対物レンズアクチュエータに起因する動作音を低減する。【選択図】  図１
2006196072.tif 000002
【特許請求の範囲】
【請求項１】
対物レンズを保持するレンズホルダと、
前記レンズホルダを可動に保持するバネ部材と、
前記バネ部材の前記レンズホルダの他端を保持するアクチュエータホルダと、
前記レンズを可動するマグネットを保持するヨークと、
を有するレンズアクチュエータであって、
前記ヨークと他端を保持する前記アクチュエータホルダが、少なくとも２方向に自由度を持つ弾性部材で連結されている、
対物レンズアクチュエータ。
【請求項２】
前記ヨークは、コの字形状であり、
前記弾性部材は、前記ヨークと折り返された状態で接する、
請求項１記載の対物レンズアクチュエータ。
【請求項３】
請求項１又は２記載の対物レンズアクチュエータを有する光ヘッド。
【請求項４】
請求項３記載の光ヘッドを有する光ディスク装置。
【請求項５】
対物レンズを保持するレンズホルダと、
前記レンズホルダを可動に保持するバネ部材と、
前記バネ部材の前記レンズホルダの他端を保持するアクチュエータホルダと、
前記レンズを可動するマグネットを保持するヨークと、
前記レンズホルダ、前記バネ部材、前記アクチュエータホルダ、前記ヨーク、を収容するヘッドケースからなる光ヘッドであって、
前記ヨークは前記ヘッドケースに弾性部材により保持される、
光ヘッド。
【請求項６】
前記弾性部材はばね部材である請求項５記載の光ヘッド。
【請求項７】
請求項５又は６記載の光ヘッドを有する光ディスク装置。
【請求項８】
対物レンズと複数のコイルとを保持するレンズホルダと、前記レンズホルダを可動自在に保持する導線を兼ねたバネ部材と、前記バネ部材の前記レンズホルダの他端を保持するアクチュエータホルダを有し、前記複数のコイルに相対するように配置されたヨーク付マグネットで構成される対物レンズアクチュエータにおいて、
前記ヨーク付マグネットと他端を保持する前記アクチュエータホルダが、前記対物レンズ光軸方向と前記バネ部材軸方向の少なくとも２方向に自由度を持つ弾性部材で連結されていることを特徴とする対物レンズアクチュエータ。
【請求項９】
対物レンズと複数のコイルとを保持するレンズホルダと、前記レンズホルダを可動自在に保持する導線を兼ねたバネ部材と、前記バネ部材の前記レンズホルダの他端を保持するアクチュエータホルダを有し、前記複数のコイルに相対するように配置されたヨーク付マグネットで構成される対物レンズアクチュエータにおいて、
前記ヨーク付マグネットは光ヘッドケースに前記対物レンズ光軸方向と前記バネ部材軸方向の少なくとも２方向に自由度を持つ弾性部材で連結され、他端を保持する前記アクチュエータホルダは前記光ヘッドケースに拘束されるよう保持されていることを特徴とする光ヘッド。
【請求項１０】
請求項８の対物レンズアクチュエータを備えることを特徴とした光ヘッド。
【発明の詳細な説明】
【技術分野】
【０００１】
本発明は、対物レンズアクチュエータ、光ヘッド、光ディスク装置に関する。
【背景技術】
【０００２】
本技術分野の背景技術としては、例えば、特開２００３−１８７４７２号公報がある。本公報には、課題として「光ピックアップの対物レンズ駆動部からの動作発生音を抑制し、低騒音の光ディスク装置を提供する。」と記載がある。また、解決手段として「無通電状態にてコイル１０７、１０８とマグネット１０９およびヨーク１１０の対向面をそれぞれ対物レンズ１０３の光軸１１１に関し略点対称な位置に配置するとともに、ヨーク１１０とユニットベース１１７をバネ性部材１１８を介して連結し、ユニットベース１１７を筐体１２０に取付ける。ここで、バネ性部材１１８はヨーク１１０に対し対物レンズ１０３から前方に離間した位置１２１で連結され、少なくとも対物レンズ１０３の光軸方向への変形自由度を有するように形成する。筐体１２０はディスク状記録媒体１０４と対向する面を除き、ユニットベース１１７、レンズホルダ１０６、ヨーク１１０、マグネット１０９が配置された空間を取り囲んだ閉構造とした。」と記載がある。
【０００３】
【特許文献１】特開２００３−１８７４７２号公報
【発明の開示】
【発明が解決しようとする課題】
【０００４】
光ディスク装置に使用される対物レンズアクチュエータは、従来からその振動特性の改善のため、様々な工夫がなされている。それらの工夫は、対物レンズにより絞り込まれる光スポットを如何に正確に光ディスク媒体上に位置付けるかという観点でなされていた。しかし、近年は、光ディスク装置がＤＶＤ−カメラに代表されるように映像及び音声の記録装置としての用途が広まっており、対物レンズアクチュエータの振動に起因する騒音の問題が無視できなくなってきた。
【０００５】
ここで、対物レンズそのものの動きに関係の少ない振動も騒音の原因になることがわかってきた。
【０００６】
図３−１及び図３−２は、例えば特開２００３−１８７４７２号公報で提案されている対物レンズアクチュエータの図である。図３−１が光ヘッドの正面図、図３−２が光ヘッドの上面図である。
【０００７】
光ディスク装置に用いる光ヘッドは、一般に光学系と対物レンズアクチュエータから成る。ここで、光学系は、レーザ光源（図示しない）から出射された光ビームをプリズムや対物レンズ等の光学素子を介して、ディスク状記録媒体の情報記録面に集光させるとともに、該情報記録面で反射した光ビームを前記光学素子を介して光検出器に入射させる。また、対物レンズアクチュエータは、対物レンズ１を保持し駆動用コイル（図示せず）を少なくとも２組有するレンズホルダ２、レンズホルダ２をディスク状記録媒体の厚み方向及び半径方向に動作可能に保持するための複数のサスペンション６、サスペンション６の他端を保持するアクチュエータホルダ７、アクチュエータホルダ７に接合された回路基板８、複数のマグネット５、それを保持し磁気回路を形成するヨーク３及びインナーヨーク４等で構成される。
【０００８】
対物レンズ1は、マグネット５、ヨーク３及びインナーヨーク４で形成される磁気回路内に配置され、複数のコイルに通電することにより、該回路より電磁力を受けて記録媒体の厚み方向及び半径方向に動作する。複数のコイルへの通電は、光ディスク装置の電気回路から回路基板８を経て、導線を兼ねたサスペンション６を通して行う。サスペンション６とアクチュエータホルダ７の接合はたとえば半田９により行い保持と導電の作用をもたらしている。ヨーク３と板バネ１０の接合はＡ部にてカシメ、接着、溶接、半田つけなどの方法で行われている。一方アクチュエータホルダ７と板バネ１０の接合はアクチュエータホルダ７の材質がプラスチックであることが多いため主に接着などで行われている。対物レンズアクチュエータはたとえば接着剤１２などによって、ヘッドケース１１に接合されている。特開２００３−１８７４７２では、レンズホルダ２の動作の反力の作用としてヨーク３が振動しその結果発生する動作音をヨーク３とアクチュエータホルダ７を板バネ１０を介して接合することにより低減している。上述した特許文献は、アクチュエータホルダ７も接着剤１２の代わりに弾性体でヘッドケース１１に保持するという内容である。
【０００９】
ところで、外部音声を録音するためのマイクを内蔵した新しいタイプの光ディスク装置として、たとえば、デジタル動画・静止画映像を撮影可能な可般型の光ディスクカメラ装置が提案されている。光ディスクカメラ装置では、筐体内部に撮像系、録音用マイク、光ディスク装置、信号処理回路等のコンポーネントが実装され、装置全体を小型化するために光ディスク装置に近接して録音用マイクが配置されており、この光ディスク装置から発生する動作音が、録音用マイクに飛び込み再生音質が劣化する場合がある。また、撮影の際は光ディスクカメラ装置を顔のそばで使用することが多いため、動作音が漏れ、使用上耳障りとなる場合がある。
【００１０】
この動作音が発生する主要因の１つは、フォーカス、トラッキング動作モードの対物レンズアクチュエータにおいて、その構造体であるヨーク３が微小振動し、この微小振動がフォーカス、トラッキングサーボ制御系制御回路（図示しない）を経由してヨーク３、インナーヨーク４、マグネット５、及びレンズホルダ２に保持されたコイル（図示しない）により構成される対物レンズ駆動部に外乱として入力する状態を繰り返すためであり、この微少振動が増幅されて動作音に現れることがわかった。
【００１１】
また、他の要因としては、製造上のばらつきに伴って対物レンズアクチュエータにおける対物レンズ１を保持するレンズホルダ２では微少な回転振動が起こりやすく、この微少な回転振動が上記ヨーク３を振動させ、フォーカス、トラッキングサーボ制御系の図示しない制御回路を経由して増幅されて動作音に現れることもわかった。
【００１２】
さらに、他の要因としては、上記は、ヨーク３全体の剛体としての振動に関して述べているが、ヨーク３自体も曲げやねじりという変形振動をしていることがわかった。
【００１３】
これらの振動は、対物レンズアクチュエータを保持している光ヘッドのヘッドケース１１に伝わり、ヘッドケース１１全体及びヘッドケース１１に取付けられている回路基板８や各種カバー類（図示せず）が振動板となり動作音（＝騒音）として再生音質の劣化や使用上の耳障りな騒音となることがわかった。尚このとき、フォーカス、トラッキングサーボ制御系の周波数特性（応答変位、位相特性）ではサーボ制御の上で問題となるような応答乱れは発生しておらず、さらにディスクへの記録および再生は正常に行われる。この結果を踏まえると、ディスクに対する対物レンズ１の応答すなわちディスク面上での光スポットについては劣化が生じていない状態にあると言える。従来、光ディスク装置は映像及び音声の記録媒体としての用途、特に、外部音声を録音するためのマイクを内蔵するような光ディスクカメラ装置としての用途が少なかったため、上記のようにフォーカス、トラッキングサーボ制御系の周波数特性（ゲイン、位相特性）においてサーボ制御を行う上で問題となるほどの乱れがなく、対物レンズ駆動部が動作することによって発生する動作音が問題となることはほとんどなかった。
【００１４】
上述の要因を考慮すると、上記特許文献１記載の従来技術では、ヨーク３及びインナーヨーク４の変形振動の内板バネ１０の長手方向（ディスク状記録媒体の半径方向）の成分がアクチュエータホルダ７を介してヘッドケース１１に伝わってしまうことがわかった。そのため、ディスク状記録媒体の半径方向の振動から引き起こされる動作音については低減されず、動作音が録音用マイクに飛び込み再生音質が劣化するという改善の余地があった。
【００１５】
本発明は上記の点に鑑みなされたもので、光ディスク装置、特に外部音声を録音するためのマイクを内蔵した光ディスクカメラ装置に使用される光ディスク装置において、ヨークとアクチュエータホルダとを少なくとも２方向に自由度を持つ弾性部材で連結されることにより、光ヘッドのヨーク３、インナーヨーク４、マグネット５、及びレンズホルダ２に保持された図示しないコイルにより構成される対物レンズ駆動部からの動作発生音を抑制し、上記の可搬型用途に対応した低騒音の光ディスク装置を提供することにある。
【００１６】
そこで、本発明は、光ディスク装置の使い勝手を向上することを目的とする。
【課題を解決するための手段】
【００１７】
上記目的は、特許請求の範囲に記載の発明により達成される。
【発明の効果】
【００１８】
本発明により、光ディスク装置の使い勝手が向上する。
【発明を実施するための最良の形態】
【００１９】
本実施例では、ヨーク自体の変形振動をもヘッドケースに伝えにくくし、より効果の高い動作音低減を実現する。
【００２０】
本実施例一実施例を図１を用いて説明する。なお、上述の図３−１、３−２と同様の動作をする構成については、ここでは説明を省略する。また、Ｂ部は、ヨーク３と板バネ１４の接合部であり、カシメ、接着、溶接、半田つけなどの方法で接合されている。
【００２１】
本実施例では、ヨーク３とアクチュエータホルダ７を連結する板バネ１４を、例えば図示のような略Ｌ形状（あるいは後述するアクチュエータホルダ他端を折り返す構成としても良い）にすることにより、少なくともディスク状記録媒体の厚み方向及び半径方向の２方向に自由度を持ち、この２方向の振動をアクチュエータホルダ７に伝わりにくくしている。このため、レンズホルダ２の動作の反力の作用としてヨーク３全体が振動する現象と、ヨーク３及びインナーヨーク４自体が変形し振動する現象の両方をヘッドケース１１に伝わりにくくし、動作音を低減することができる。また、本実施例における板バネ１４は、図３におけるそれよりも長い部材でできているため、また、アクチュエータホルダ他端を折り返していることにより、厚み方向と半径方向に垂直な紙面の手前方向、奥方向に対する振動に対しても良好となる。
【００２２】
次に、本実施例の他の実施例を図２を用いて説明する。
【００２３】
本実施例では、ヨーク３を弾性部材１３を介して、ヘッドケース１１に連結させる。この弾性部材１３はたとえばコイルバネやゴム系の樹脂などで形成されていて、少なくともディスク状記録媒体の厚み方向及び半径方向の２方向の振動をヘッドケース１１に伝わりにくくしている。このため、レンズホルダ２の動作の反力の作用としてヨーク３全体が振動する現象と、ヨーク３及びインナーヨーク４自体が変形し振動する現象の両方をヘッドケース１１に伝わりにくくし、動作音を低減することができる。ここで、本実施例では、アクチュエータホルダ７とは、分離した部材１３により騒音を低減する。アクチュエータホルダ７も弾性体で保持する構成では、対物レンズアクチュエータ自身が傾いてしまい、光ディスク装置としての記録、再生性能に悪影響を及ぼす恐れがある。本実施例によれば、アクチュエータホルダ７は傾きを発生しないような保持の仕方をしているので、記録、再生性能に悪影響が出ることはない。
【００２４】
上述の本実施例より、光ディスクカメラ装置において、ディスク状記録媒体の半径方向の振動から引き起こされる動作音が低減され、動作音が録音用マイクに飛び込み再生音質が劣化することが防止できる。
【００２５】
また、上述の本実施例より、対物レンズアクチュエータ自身が傾くことによる光ディスク装置としての記録、再生性能への悪影響を防止できるとともに光ディスクカメラ装置におけるディスク状記録媒体の半径方向の振動から引き起こされる動作音の低減による動作音が録音用マイクに飛び込み再生音質が劣化することが防止できる。
【００２６】
上記手段によってヨーク全体が動く振動及びヨークの変形振動がヘッドケースに伝わりにくくなるため、光ヘッドにおいて、コイルへの通電とマグネット及びヨークによって発生する磁界の作用によってレンズホルダが駆動される際に励起される振動による動作音を従来より大幅に低減することが可能となる。その結果、動作発生音を低減した光ディスク装置を提供することが可能となる。
【図面の簡単な説明】
【００２７】
【図１】一実施例の説明図
【図２】一実施例の説明図
【図３】従来技術の説明図
【符号の説明】
【００２８】
１・・・対物レンズ
２・・・レンズホルダ
３・・・ヨーク
４・・・インナーヨーク
５・・・マグネット
６・・・サスペンション
７・・・アクチュエータホルダ
８・・・回路基板
９・・・半田
１０・・・板バネ
１１・・・ヘッドベース
１２・・・接着剤
１３・・・弾性部材
１４・・・板バネＬ
【図１】
2006196072.tif 000003
【図２】
2006196072.tif 000004
【図３】
2006196072.tif 000005